(57)【特許請求の範囲】
【請求項１】
容器の口筒部に取着され、キャップ本体と上蓋からなるヒンジキャップにおいて、
キャップ本体は、注出筒と、容器口筒部に嵌着される係合筒部とを備え、
係合筒部の上部には、上部外周に膨出部を設けた蓋係合部が突設されており、
上蓋は、頂壁と内筒と外筒壁とを備え、
外筒壁下端内周には、キャップ本体の蓋係合部の上面と外周に係合する上内面と側内面とから形成された係合部が設けられ、
係合部の側内面下方には、蓋係合部の膨出部の下方周面と係合する係合突部が設けられ、
ヒンジキャップの打栓時に、上方から押圧することにより上蓋をキャップ本体に対して下降させるとともに、上蓋を変形させ、ヒンジキャップ内から外部への空気の流通路を形成させて空気を容器外に排出し、
ヒンジキャップの打栓終了時に、上蓋の復元力で、上蓋をキャップ本体に対して上昇させることによりヒンジキャップ内から外部への空気の流通路が閉鎖され、ヒンジキャップ内が僅かに負圧になるようにしたことを特徴とするヒンジキャップ。
【請求項２】
空気の流通路が、上蓋の係合部と、キャップ本体の蓋係合部との間に形成されていることを特徴とする請求項１記載のヒンジキャップ。
【請求項３】
空気の流通路が、上蓋の係合部、またはキャップ本体の蓋係合部の上面に形成されている凹溝、または粗面であることを特徴とする請求項２記載のヒンジキャップ。
【請求項４】
キャップ本体の蓋係合部外周の膨出部下方に、上面が下部外方に傾斜する傾斜リブを複数配設し、
上蓋の係合突部の下方周面が傾斜リブ上面に係合するようにしたことを特徴とする請求項１〜３記載のヒンジキャップ。
【請求項５】
キャップ本体の注出筒内周の所定位置にリブを配設し、打栓時に内筒下端と係合し、注出筒と内筒との間に間隙を形成するようにしたことを特徴とする請求項１〜４記載のヒンジキャップ。
【請求項６】
キャップ本体の注出筒の内周に、上蓋の内筒下端に当接し係合する傾斜面を備えた傾斜段部を設け、
傾斜段部の傾斜面に空気溝を複数配設し、
ヒンジキャップの打栓時に、上蓋の内筒を係合段部の傾斜面上で摺動させ内方に変形させるとともに、傾斜面の空気溝、および内筒と注出筒との間の間隙が空気の流通路となることを特徴とする請求項１〜５記載のヒンジキャップ。  
【発明の詳細な説明】
【技術分野】
【０００１】
本発明は、ヒンジキャップ、とくに容器内に充填した加熱殺菌された内容液によりキャップの上蓋内の空気が加熱され、内圧が上昇してキャップの上蓋が開蓋することを防止するヒンジキャップに関するものである。
【背景技術】
【０００２】
殺菌のため加熱された内容液を充填するヒンジキャップにおいて、内容液充填後、ヒンジキャップを打栓した後、容器内部を殺菌し、次いで容器外部より温水シャワーで洗浄、冷却することは従来より行われている。
【０００３】
また、キャップ打栓後に、内容液の熱によりキャップ内の空気の内圧が上昇するためキャップの上蓋が開蓋することを防止するために、キャップ内の内圧が上昇すると、上蓋とキャップ本体の間に空気の流通路を形成し、キャップ内の空気を容器外に逃がし、キャップの上蓋内の内圧上昇を防止するようにしたキャップも従来より知られている（例えば、特許文献１参照）。  
【特許文献１】特開２０００−２７２６４８号公報
【発明の開示】
【発明が解決しようとする課題】
【０００４】
しかしながら、上記特許文献１記載のヒンジキャップでは、キャップ内の空気圧により空気の流通路を形成、または閉鎖しているので、キャップ内の空気圧が高く、空気の流通路が形成しているときに、容器外から温水シャワーで冷却すると、キャップ内の空気圧が低下し、空気の流通路が閉鎖される前に空気と一緒に温水までキャップ内に吸い込むという問題があった。
【０００５】
また、加熱により、キャップ内の空気圧が急激に上昇した場合、空気圧が上蓋（２０）の側壁部（２２）を押圧して外方に変形させることで、側壁部（２２）と中蓋（２）の係合凹部（９）との係合が外れ、上蓋（２０）が開蓋することもあった。
【０００６】
本発明は、上記問題を解決することを課題とし、加熱によるキャップ内の空気の圧力上昇を抑制し、ヒンジキャップの上蓋が圧力上昇により開蓋することがなく、また、温水シャワー時に温水がキャップ内に侵入することを防止できるヒンジキャップを提供することを目的とする。
【課題を解決するための手段】
【０００７】
本発明は、上記の課題を解決するため、ヒンジキャップとして、容器の口筒部に取着され、キャップ本体と上蓋からなるヒンジキャップにおいて、キャップ本体は、注出筒と、容器口筒部に嵌着される係合筒部とを備え、係合筒部の上部には、上部外周に膨出部を設けた蓋係合部が突設されており、上蓋は、頂壁と内筒と外筒壁とを備え、外筒壁下端内周には、キャップ本体の蓋係合部の上面と外周に係合する上内面と側内面とから形成された係合部が設けられ、係合部の側内面下方には、蓋係合部の膨出部の下方周面と係合する係合突部が設けられ、ヒンジキャップの打栓時に、上方から押圧することにより上蓋をキャップ本体に対して下降させるとともに、上蓋を変形させ、ヒンジキャップ内から外部への空気の流通路を形成させて空気を容器外に排出し、ヒンジキャップの打栓終了時に、上蓋の復元力で、上蓋をキャップ本体に対して上昇させることによりヒンジキャップ内から外部への空気の流通路が閉鎖され、ヒンジキャップ内が僅かに負圧になるようにしたことを特徴とする構成を採用する。
【０００８】
空気の流通路の実施例として、空気の流通路が、上蓋の係合部と、キャップ本体の蓋係合部との間に形成されていることを特徴とする構成を採用し、さらに実体的手段として、空気の流通路が、上蓋の係合部、またはキャップ本体の蓋係合部の上面に形成されている凹溝、または粗面であることを特徴とする構成を採用する。
【０００９】
流通路を形成させるために、キャップ本体の蓋係合部外周の膨出部下方に、上面が下部外方に傾斜する傾斜リブを複数配設し、上蓋の係合突部の下方周面が傾斜リブ上面に係合するようにしたことを特徴とする構成を採用する。
【００１０】
注出筒の実施例として、キャップ本体の注出筒内周の所定位置にリブを配設し、打栓時に内筒下端と係合し、注出筒と内筒との間に間隙を形成するようにしたことを特徴とする構成、または、キャップ本体の注出筒の内周に、上蓋の内筒下端に当接し係合する傾斜面を備えた傾斜段部を設け、傾斜段部の傾斜面に空気溝を複数配設し、ヒンジキャップの打栓時に、上蓋の内筒を係合段部の傾斜面上で摺動させ内方に変形させるとともに、傾斜面の空気溝、および内筒と注出筒との間の間隙が空気の流通路となることを特徴とする構成を採用する。  
【発明の効果】
【００１１】
キャップ本体の係合筒部の上部に、上部外周に膨出部を突設した蓋係合部を設け、上蓋の外筒壁下端内周に、蓋係合部の膨出部と係合する係合突部を突設した係合部を設け、蓋係合部の周面と係合部との間で、空気の流通路を形成させるようにしているので、加熱された内容液を充填した容器本体の口筒部にヒンジキャップを打栓する時に、上蓋が上方からキャップ本体に対して押圧され下降することで、空気の流通路を形成してキャップ内の空気を容器外に排出する。
【００１２】
打栓終了時に、上蓋がキャップ本体に対して元の形状に復元し、空気の流通路を速やかに閉鎖し、キャップ内の空気圧を僅かに負圧に保つことで、加熱によりキャップ内の空気が圧力上昇しても、上蓋が開蓋するまでの圧力上昇が行われず、上蓋が開蓋することを防止できる。
【発明を実施するための最良の形態】
【００１３】
次に、本発明のヒンジキャップについて、実施例をあげ、図面を参照して説明する。
【実施例１】
【００１４】
図１において、Ａは容器本体に打栓されるキャップ本体、Ｂはキャップ本体ＡにヒンジＣを介して一体成形された上蓋である。
容器本体の口筒部１外周には、係合突条２が設けられている。
【００１５】
図１、２に示すように、キャップ本体Ａは、底壁５と、底壁５の周縁に連設される注出筒６と、注出筒６の下端外周よりリング状底壁７を介して連設される係合筒部８と、係合筒部８外周に一定の間隔をおいて連設され、上端外周にヒンジＣを連設する外周筒部９とからなっている。
【００１６】
底壁５には、注出口１０を開口する薄肉の弱化部１１が設けられており、底壁５の上面には、弱化部１１の区画内に注出口１０の開口時に引上げるプルリング１２が設けられている。
注出筒６内周の底壁５上面側の所定の位置には、リブ１３が配設されている。
【００１７】
係合筒部８は、リング状の上壁１５と、上壁１５の内周縁に垂設され、内周にリング状底壁７外周縁と接続する内筒１６と、上壁１５の外周縁に垂設された外筒１７と、上壁１５の上部に立設され、上蓋Ｂと係合する蓋係合部１８とからなっている。
外筒１７の内周には、容器本体の口筒部１の係合突条２と係合する係合突条１９が設けられており、係合筒部８は、打栓時に、内筒１６外周と外筒１７内周により、容器本体の口筒部１を挟持することで、キャップ本体Ａが容器本体の口筒部１に装着される。
【００１８】
外筒１７の下端外周と外周筒部９の下端内周は、外周筒部９のヒンジＣの反対側に設けられた連結片２０と、間隔をおいて複数配設された破断可能な弱化片２１とを介して連設されている。
【００１９】
蓋係合部１８の外周には、外筒１７外周より縮径された縮径部２５と、その上端部に縮径部２５より拡径された膨出部２６とが形成されており、膨出部２６の最突部の下方周面は係合面２６ａとなっている。
縮径部２５内の下方には、上部が内方上方に向かって傾斜する傾斜面２７ａとなっている傾斜リブ２７が間隔をおいて複数配設されている。
【００２０】
上蓋Ｂは、図１に示すように、頂壁３０と、頂壁３０の周縁に垂設された外筒壁３１とからなり、頂壁３０下面には、キャップ本体Ａの注出筒６の内周に挿入される内筒３２が垂設されている。
外筒壁３１には、内周下端に、拡径され、キャップ本体Ａの係合筒部８の蓋係合部１８と係合する係合部３３が設けられており、外周下端の所定の位置にヒンジＣが連設されている。
【００２１】
係合部３３は、打栓時にキャップ本体Ａの蓋係合部１８の上端面と係合する上内面３３ａと、蓋係合部１８の外周と係合する側内面３３ｂとから形成され、上内面３３ａから側内面３３ｂに通じて空気通路３５が配設されており、側内面３３ｂの下端には、キャップ本体Ａの蓋係合部１８の膨出部２６と係合する係合突部３６が設けられている。
【００２２】
空気通路３５は、溝列、凹凸条、または粗面等、係合部３３の内面と蓋係合部１８の周面との接合時に空気が流通できる非平滑面であればよい。
【００２３】
係合突部３６は、最突部の上方周面がキャップ本体Ａの蓋係合部１８の膨出部２６の係合面２６ａに当接する係合面３６ａとなり、最突部の下方周面が蓋係合部１８外周に配設された傾斜リブ２７の傾斜面２７ａに当接し、摺動する係合傾斜面３６ｂとなっている。
【００２４】
次に、本実施例のヒンジキャップの作用効果について説明する。
ヒンジキャップは、上蓋Ｂをキャップ本体Ａに対して閉蓋することにより、図１に示すように、係合した容器本体Ａの注出筒６と上蓋Ｂの内筒３２より外側に空気室ａ、内側に空気室ｂが形成される。
容器本体の内方に加熱された内容液を充填し、容器本体の口筒部１に閉蓋したヒンジキャップを上方から打栓する。
【００２５】
打栓前のヒンジキャップ内は、図１（ｂ）に示すように、上蓋Ｂの外筒壁３１の係合部３３の係合突部３６の係合面３６ａと、キャップ本体Ａの係合筒部８の蓋係合部１８の膨出部２６の係合面２６ａとの係合により、空気室ａ内とヒンジキャップ外との空気の流通路が封鎖されている。
また、上蓋Ｂの係合突部３６の係合傾斜面３６ｂと、キャップ本体Ａの蓋係合部１８の傾斜リブ２７の傾斜面２７ａとが係合している。
【００２６】
打栓時には、図３に示すように、ヒンジキャップの上蓋Ｂの上部より強い押圧力がかかり、上蓋Ｂがキャップ本体Ａに対して押圧され、下降する。
上蓋Ｂが下降することで、上蓋Ｂの係合部３３の上内面３３ａがキャップ本体Ａの蓋係合部１８の上端面に当接する。
さらに、上蓋Ｂの係合突部３６の係合面３６ａと、キャップ本体Ａの蓋係合部１８の膨出部２６の係合面２６ａとの係合が外れ、間隙をつくるとともに、係合突部３６の係合傾斜面３６ｂが、キャップ本体Ａの蓋係合部１８の傾斜リブ２７の傾斜面２７ａ上を摺動しながら下降し、上蓋Ｂの外筒壁３１下方を外方へ僅かに変形させる。
【００２７】
また、上蓋Ｂの内筒３２外周がキャップ本体Ａの注出筒６内周に摺動しながら下降することで、内筒３２下端が注出筒６のリブ１３に乗り上げ、内筒３２と注出筒６との間に僅かな間隔をつくる。
【００２８】
上蓋Ｂが下降することによりヒンジキャップ内の空気が押圧され、空気室ｂ内の押圧された空気は、上蓋Ｂの内筒３２とキャップ本体Ａの注出筒６との間の間隙から空気室ａ内に流出する。
【００２９】
さらに、空気室ａ内の押圧された空気は、図３（ｂ）に示すように、上蓋Ｂの係合部３３の上内面３３ａと、キャップ本体Ａの蓋係合部１８の上端面との係合部より上内面３３ａに配設した空気通路３５を流通路として、係合部３３の係合面３６ａと蓋係合部１８の係合面２６ａとの間隙、蓋係合部１８の傾斜リブ２７同士の間を通り、キャップ本体Ａの係合筒部８と外周筒部９と弱化片２１同士の間を通り、容器外に排出される。
【００３０】
打栓後は、上蓋Ｂに対しての押圧力が外され、上蓋Ｂの外筒壁３１の復元力により、外筒壁３１の係合突部３６がキャップ本体Ａの蓋係合部１８の傾斜リブ２７の傾斜面２７ａを上方に摺動することで、上蓋Ｂはキャップ本体Ａに対して上昇し、上蓋Ｂの係合部３３の上内面３３ａとキャップ本体Ａの蓋係合部１８の上端面との係合が外れ、ヒンジキャップが元の状態に戻る。
【００３１】
このことで、再び、図１（ｂ）に示すように、上蓋Ｂの内筒３２外周がキャップ本体Ａの注出筒６内周に係合し、空気室ｂ内と空気室ａ内との間の流通路が閉鎖されるとともに、上蓋Ｂの外筒壁３１の係合突部３６の係合面３６ａと、キャップ本体Ａの蓋係合部１８の膨出部２６の係合面２６ａとの係合により、空気室ａ内とヒンジキャップ外との空気の流通路が封鎖される。
【００３２】
本発明のヒンジキャップは、打栓時に上蓋Ｂがキャップ本体Ａに対して下降することで、空気の流通路を形成してヒンジキャップ内の空気を排出し、打栓終了とともに空気の流通路を速やかに閉鎖するため、ヒンジキャップ内は僅かに負圧となる。
【００３３】
容器内の加熱された内容液、或いは、温水シャワーにより、ヒンジキャップ内の空気が加熱されても、キャップ内がもともと負圧となっているため、ヒンジキャップ内の内圧上昇を低く抑えることができる。
このため、ヒンジキャップ内の内圧が上昇したとしても、内圧上昇のためヒンジキャップの上蓋Ｂがキャップ本体Ａに対して開蓋するということを防止することができる。
【００３４】
また、本発明のヒンジキャップは、ヒンジキャップ内の内圧上昇により上蓋Ｂがキャップ本体Ａに対して開蓋することを防止することができるが、打栓時のヒンジキャップ内の負圧は僅かであるため、消費者が必要に応じて開蓋する際には開蓋操作の障害にはならない。
【００３５】
本発明のヒンジキャップは、容器を廃棄する際は、まず、上蓋Ｂを開蓋し上蓋Ｂを引張り上げることにより、ヒンジＣを介してキャップ本体Ａの外周筒部９を上昇させ、外周筒部９と係合筒部８との間の弱化片２１を切断する。
次に、外周筒部９と係合筒部８との間の連結片２０を支点として、外周筒部９のヒンジＣ側が上昇し、さらに上蓋Ｂを引張ると、外周筒部９の連結片２０側も上昇する。
【００３６】
最後は、連結片２０を介して係合筒部８の外筒１７の連設部側のみを引張ることで、係合筒部８の外筒１７が変形し、キャップ本体Ａと容器本体の口筒部１との係合を外して、簡単にヒンジキャップを容器本体から外して、分別廃棄することができる。
【００３７】
上記実施例において、リブ１３に代え、内筒下端外周に膨出突条を設け、注出筒内周の所定の位置に凹溝を設けて、打栓時に膨出突条が凹溝に係合し、膨出突条と凹溝との間、および、注出筒と内筒との間に隙間が形成されるようにしても、上記実施例と同等の作用効果を得ることができる。
【実施例２】
【００３８】
次に、ヒンジキャップ打栓後のキャップ本体に対して上蓋を上昇させるため、第１実施例では、キャップ本体の蓋係止部に傾斜リブを設けたが、傾斜リブを設けない構成の第２実施例について説明する。
本実施例の第１実施例と同一の構成部分には、同一の符号を付して図示し、詳しい説明を省略し、相違点を中心に説明する。  
図４において、Ａは容器本体に打栓されるキャップ本体、Ｂはキャップ本体ＡにヒンジＣを介して一体成形された上蓋である。
【００３９】
キャップ本体Ａの注出筒６内周の底壁５上面側には、上部が外方上方に向かい傾斜する傾斜面４０ａとなっている傾斜段部４０が設けられ、傾斜面４０ａには、空気溝４１が複数配設されている。
【００４０】
次に、本実施例のヒンジキャップの作用効果について説明する。
ヒンジキャップは、上蓋Ｂをキャップ本体Ａに閉蓋することにより、図４に示すように、係合した容器本体Ａの注出筒６と上蓋Ｂの内筒３２より外側に空気室ａ、内側に空気室ｂが形成される。
【００４１】
打栓前のヒンジキャップ内は、図４（ｂ）に示すように、上蓋Ｂの外筒壁３１の係合部３３の係合突部３６の係合面３６ａと、キャップ本体Ａの蓋係合部１８の膨出部２６の係合面２６ａとの係合により、空気室ａ内とヒンジキャップ外との空気の流通路が封鎖されている。
また、図６（ａ）に示すように、容器本体Ａの注出筒６の係合段部４０の傾斜面４０ａと上蓋Ｂの内筒３２下端が当接している。
【００４２】
本実施例では、打栓時に、図５に示すように、ヒンジキャップの上蓋Ｂの上部より強い押圧力がかかり、上蓋Ｂがキャップ本体Ａに対して押圧され、図５（ｂ）に示すように、上蓋Ｂの係合部３３の上内面３３ａがキャップ本体Ａの蓋係合部１８の上端面に当接するとともに、上蓋Ｂの係合突部３６の係合面３６ａと、キャップ本体Ａの蓋係合部１８の膨出部２６の係合面２６ａとの係合が外れ、間隙をつくる。
さらに、図６（ｂ）に示すように、上蓋Ｂの内筒３２下端が、キャップ本体Ａの注出筒６の係合段部４０の傾斜面４０ａ上を摺動しながら内方に変形し、内筒３２と注出筒６との間に僅かな間隔をつくる。
【００４３】
上蓋Ｂが下降することによりヒンジキャップ内の空気が押圧され、空気室ｂ内の押圧された空気は、キャップ本体Ａの注出筒６の係合段部４０の空気溝４１を通り、上蓋Ｂの内筒３２とキャップ本体Ａの注出筒６との間の間隙から空気室ａ内に流出する。
さらに、空気室ａ内の押圧された空気は、図５（ｂ）に示すように、上蓋Ｂの係合部３３の上内面３３ａと、キャップ本体Ａの蓋係合部１８の上端面との係合部より係合部３３に配設した空気通路３５を流通路として、係合部３３の係合面３６ａと蓋係合部１８の係合面２６ａとの間隙を通り、容器外に排出される。
【００４４】
打栓後は、上蓋Ｂに対しての押圧力が外され、上蓋Ｂの内筒３２の復元力により、上蓋Ｂの内筒３２下端が、キャップ本体Ａの注出筒６の係合段部４０の傾斜面４０ａ上を摺動しながら上昇し、ヒンジキャップが元の状態に戻る。
【００４５】
このことで、再び、図４（ｂ）に示すように、上蓋Ｂの内筒３２外周がキャップ本体Ａの注出筒６内周に係合し、空気室ｂ内と空気室ａ内との間の流通路が閉鎖されるとともに、上蓋Ｂの外筒壁３１の係合突部３６の係合面３６ａと、キャップ本体Ａの蓋係合部１８の膨出部２６の係合面２６ａとの係合により、空気室ａ内とヒンジキャップ外との空気の流通路が封鎖される。
その他の作用効果は、実施例１と同じである。
【００４６】
本発明は、打栓終了時に、上蓋をキャップ本体に対して上昇させ、空気の流通路を速やかに封鎖し、ヒンジキャップ内の空気圧を僅かに負圧にできればよい。
例えば、実施例１のキャップ本体Ａの注出筒６の内周に、実施例２の係合段部４０を設けることで、上蓋Ｂのキャップ本体Ａに対しての復元力を付加することができる。
【００４７】
前記各実施例では、空気流路３５を上蓋Ｂの係合部３３に設けるようにしたが、打栓時に、上蓋Ｂの係合部３３の上内面と、蓋係合部１８の上端面が圧接するときに、接合面を通って空気が排出できればよいので、空気通路３５は、蓋係合部１８の上端面に設けるようにしてもよい。
【００４８】
前記各実施例では、係合筒部８の外筒１７の外側に外周筒部９を設けたが、本発明のヒンジキャップは、打栓時に上蓋内の空気を排出できればよいので、外周筒部９はなくてもよい。
【産業上の利用可能性】
【００４９】
本発明は、ヒンジキャップにおいて、ヒンジキャップの容器へ打栓することで容器内の内容液、または、温水シャワーによりヒンジキャップ内の空気が加熱され、ヒンジキャップの上蓋が開蓋することを防止でき、各種の加熱充填する内容液の容器のヒンジキャップとして広く利用することができる。
【図面の簡単な説明】
【００５０】
【図１】本発明の第１実施例のヒンジキャップの説明図で、（ａ）は断面立面図、（ｂ）は要部拡大図である。
【図２】ヒンジキャップの下面図である。
【図３】第１実施例のヒンジキャップの打栓時の説明図で、（ａ）は断面立面図、（ｂ）は要部拡大図である。
【図４】本発明の第２実施例のヒンジキャップの説明図で、（ａ）は断面立面図、（ｂ）は上蓋とキャップ本体の係合部の要部拡大図である。
【図５】第２実施例のヒンジキャップの打栓時の説明図で、（ａ）は断面立面図、（ｂ）は上蓋とキャップ本体の係合部の要部拡大図である。
【図６】第２実施例の上蓋の内筒とキャップ本体の注出筒との係合部の説明図で、（ａ）は打栓前、（ｂ）は打栓時の要部拡大図である。
【符号の説明】
【００５１】
Ａ        キャップ本体
Ｂ        上蓋
Ｃ        ヒンジ
ａ、ｂ    空気室
１        口筒部
２、１９    係合突条
５        底壁
６        注出筒
７        リング状底壁
８        係合筒部
９        外周筒部
１０      注出口
１１      弱化部
１２      プルリング
１３      リブ
１５      上壁
１６、３２  内筒
１７      外筒
１８      蓋係合部
２０      連結片
２１      弱化片
２５      縮径部
２６      膨出部
２６ａ、３６ａ  係合面
２７      傾斜リブ
２７ａ、４０ａ  傾斜面
３０      頂壁
３１      外筒壁
３３      係合部
３３ａ    上内面
３３ｂ    側内面
３５      空気通路
３６      係合突部
３６ｂ    係合傾斜面
４０      傾斜段部
４１      空気溝
【図１】
0004652200.tif 000002
【図２】
0004652200.tif 000003
【図３】
0004652200.tif 000004
【図４】
0004652200.tif 000005
【図５】
0004652200.tif 000006
【図６】
0004652200.tif 000007